(57)【要約】【課題】  本発明は口紅等を皿部材に強固に結合して、使用中の脱落事故を確実に防止することができるとともに、口紅等の充填作業も容易で、口紅等の損傷事故を著しく低減させることができる口紅等の収納容器および口紅等の充填方法を得るにある。【解決手段】筒部材内を上下移動する皿部材の使用時の上死点よりも上方に口紅等を充填する場合に位置させることができる口紅等の収納容器において、前記皿部材を上部に皿部材嵌合部が形成された受け皿と、この受け皿の皿部材嵌合部と嵌合する嵌合部が形成された内側へ突出するリブを有する皿部材本体とで口紅等の収納容器を構成している。【選択図】  図１
2006051061.tif 000002
【特許請求の範囲】
【請求項１】
筒部材内を上下移動する皿部材の使用時の上死点よりも上方に口紅等を充填する場合に位置させることができる口紅等の収納容器において、前記皿部材を上部に皿部材嵌合部が形成された受け皿と、この受け皿の皿部材嵌合部と嵌合する嵌合部が形成された内側へ突出するリブを有する皿部材本体とで構成したことを特徴とする口紅等の収納容器。
【請求項２】
筒部材内を上下移動する上部に皿部材嵌合部が形成された受け皿を使用時の上死点よりも上方に位置させる２段繰り出し機構を有する口紅等の収納容器本体のセット工程と、内壁面に内側へ突出するリブが形成されるとともに、前記口紅等の収納容器本体の受け皿の皿部材嵌合部と嵌合する嵌合部が形成された皿部材本体を口紅等の成形型にセットして口紅等を充填する口紅等の充填工程と、この口紅等の充填工程で口紅等が充填された状態の皿部材本体の嵌合部に、前記口紅等の収納容器本体のセット工程でセットした口紅等の収納容器本体の受け皿の皿部材嵌合部を嵌合させ、口紅等の成形型より口紅等を抜き取り、筒部材内に収納する口紅等の収納工程とを含むことを特徴とする口紅等の充填方法。  
【発明の詳細な説明】
【技術分野】
【０００１】
本発明は口紅、リップクリーム、スチックアイシャドウ、スチックファンデーション等の棒状化粧品を収納する口紅等の収納容器および口紅等の充填方法に関する。
【背景技術】
【０００２】
従来、筒部材内を上下移動する皿部材の、使用時の上死点よりも上方に成形された口紅等を充填する場合に位置させることができる口紅等の収納容器が考えられている。
【０００３】
しかしながら、このような構成の口紅等の収納容器は、口紅等の充填は皿部材へ成形された口紅等を押し圧による嵌合で一体化しているため、十分な結合強度が得られず、使用中に口紅等の脱落事故が生じやすいという欠点があるとともに、成形された口紅等を皿部材に充填する作業が面倒で、口紅等を損傷しやすいという欠点があった。
【特許文献１】特になし。
【発明の開示】
【発明が解決しようとする課題】
【０００４】
本発明は以上のような従来の欠点に鑑み、口紅等を皿部材に強固に結合して、使用中の脱落事故を確実に防止することができるとともに、口紅等の充填作業も容易で、口紅等の損傷事故を著しく低減させることができる口紅等の収納容器および口紅等の充填方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は筒部材内を上下移動する皿部材の使用時の上死点よりも上方に口紅等を充填する場合に位置させることができる口紅等の収納容器において、前記皿部材を上部に皿部材嵌合部が形成された受け皿と、この受け皿の皿部材嵌合部と嵌合する嵌合部が形成された内側へ突出するリブを有する皿部材本体とで口紅等の収納容器を構成している。
【０００７】
また、本発明は筒部材内を上下移動する上部に皿部材嵌合部が形成された受け皿を使用時の上死点よりも上方に位置させる２段繰り出し機構を有する口紅等の収納容器本体のセット工程と、内壁面に内側へ突出するリブが形成されるとともに、前記口紅等の収納容器本体の受け皿の皿部材嵌合部と嵌合する嵌合部が形成された皿部材本体を口紅等の成形型にセットして口紅等を充填する口紅等の充填工程と、この口紅等の充填工程で口紅等が充填された状態の皿部材本体の嵌合部に、前記口紅等の収納容器本体のセット工程でセットした口紅等の収納容器本体の受け皿の皿部材嵌合部を嵌合させ、口紅等の成形型より口紅等を抜き取り、筒部材内に収納する口紅等の収納工程とで口紅等の充填方法を構成している。
【発明の効果】
【０００８】
以下の説明から明らかなように、本発明にあっては次に列挙する効果が得られる。
【０００９】
（１）皿部材を上部に皿部材嵌合部が形成された受け皿と、この受け皿の皿部材嵌合部と嵌合する嵌合部が形成された内側へ突出するリブを有する皿部材本体とで構成しているので、皿部材本体のリブによって、口紅等を十分な強度が得られるように、該皿部材本体に充填して一体化することができる。
したがって、口紅等が皿部材本体から脱落する事故を確実に防止することができる。
【００１０】
（２）前記（１）によって、口紅等が充填された皿部材本体の嵌合部を使用時の上死点よりも上方に位置された受け皿の皿部材嵌合部と嵌合させるだけで、受け皿と皿部材本体を一体化することができる。
したがって、取付けが容易で、該作業時に口紅等を損傷させるのを効率よく防止することができる。
【００１１】
（３）前記（１）によって、構造が簡単であるので、容易に実施することができる。
【００１２】
（４）請求項２も前記（１）〜（３）と同様な効果が得られるとともに、口紅等が充填された状態の皿部材本体の嵌合部に口紅等の収納容器本体の受け皿の皿部材嵌合部と嵌合させるので、より確実に皿部材本体と受け皿との嵌合時の口紅等の損傷事故を防止することができる。
【発明を実施するための最良の形態】
【００１３】
以下、図面に示す本発明を実施するための最良の形態により、本発明を詳細に説明する。
【００１４】
図１ないし図８に示す本発明を実施するための最良の第１の形態において、１は本発明の口紅等の収納容器で、この口紅等の収納容器１は口紅等２のセット時には使用時の上死点Ｘよりも上方に受け皿３を位置させることができる２段繰り出し機構を備える口紅等の収納容器本体４と、この口紅等の収納容器本体４の上死点Ｘよりも上方に受け皿３を位置した状態で口紅等の成形型５で口紅等２と一体形成された状態で、該受け皿３と嵌合固定される皿部材本体６と、前記口紅等の収納容器本体４の上部外周部を覆うキャップ７とで構成されている。
【００１５】
前記口紅等の収納容器本体４は下端部が閉塞された筒状のハカマ部材８と、このハカマ部材８内に収納された内壁面に螺旋溝９、９が形成された螺旋部材１０と、この螺旋部材１０の抜け脱を防止するように、前記ハカマ部材８の開口部側に嵌合固定される複数個のキャップ嵌合部１１を有するキャップ嵌合部材１２と、前記螺旋部材１０内に下端部が挿入され、上端部が前記キャップ嵌合部材１２の上端部よりも上方に位置する筒部材１３と、この筒部材１３に形成された軸心方向の切欠溝１４、１４と、この切欠溝１４、１４の上端部とクランク状に連通するように、前記筒部材１３に形成された上死点よりも上方に受け皿３を位置させることができるガイド溝１５、１５と、前記筒部材１３内に上下移動可能に収納された上部内壁面にリング状の溝の皿部材嵌合部１６が形成され、下部外壁面に該筒部材１３の切欠溝１４、１４および前記螺旋部材１０の螺旋溝９、９と係合する係合ピン１７、１７が形成された、前記受け皿３とで構成されている。
【００１６】
前記皿部材本体６は前記口紅等の成形型５に上端部が挿入されるもので、ほぼ中央部の内壁面に、内側に突出するリブ１８、１８が形成され、下端外周部には前記受け皿３の皿部材嵌合部１６と嵌合する嵌合部１９が形成されている。
【００１７】
上記構成の口紅等の収納容器１は口紅等の収納容器本体４のハカマ部材８と筒部材１３とを持って回動し、受け皿３を筒部材１３の切欠溝１４、１４の上部位置である上死点Ｘに位置させ、上部等の外部よりジグを使用して受け皿３の係合ピン１７、１７をガイド溝１５、１５の方向へ回動させ、受け皿３の係合ピン１７、１７をガイド溝１５、１５内に位置させる。
すなわち、上死点Ｘ位置よりも上方に位置させる口紅等の収納容器本体のセット工程２０を行なう。
【００１８】
口紅等の成形型５に皿部材本体６の先端部を挿入して押え枠２１を用いてセットして、リップクリーム、スチックアイシャドウ、スチックファンデーションや口紅等２を口紅等の形成型５内および皿部材本体６内に充填する口紅等の充填工程２２を行なう。
【００１９】
しかる後、口紅等の充填工程２２で口紅等２が充填され、押え枠２１を除去した状態の皿部材本体６の嵌合部１９に、前記口紅等の収納容器本体のセット工程２０でセットした口紅等の収納容器本体４の受け皿３の皿部材嵌合部１６を嵌合させ、口紅等の成形型５より口紅等２を抜き取り、筒部材１３内に収納する口紅等の収納工程２３とを行なうことにより、口紅等の収納容器本体４に口紅等２を収納することができる。
［発明を実施するための異なる形態］
【００２０】
次に、図９ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図９ないし図１１に示す本発明を実施するための第２の形態において、前記本発明を実施するための最良の第１の形態と主に異なる点は、上部外周部に凸状の皿部材嵌合部１６Ａを形成した受け皿３Ａと、下部内壁面にリング状の溝の嵌合部１９Ａを形成した皿部材本体６Ａを用いた点で、このように形成された受け皿３Ａと皿部材本体６Ａを用いて構成した口紅等の収納容器１Ａにしても、前記本発明を実施するための最良の第１の形態と同様な作用効果が得られる。
【００２２】
図１２ないし図１５に示す本発明を実施するための第３の形態において、前記本発明を実施するための最良の第１の形態と主に異なる点は、口紅等の収納容器本体４Ａで、この口紅等の収納容器本体４Ａは円筒状のハカマ部材８Ａと、このハカマ部材８Ａの上部と一体形成された外周部にリング状の凹部２４および上部に切欠部２５が形成されたねじ部２６を有する螺旋部材１０Ａと、この螺旋部材１０Ａのねじ部２６と螺合する下端部に通常時のストッパー２７および充填時のストッパー２８が形成されたねじ棒２９と、このねじ棒２９の上端部に底面の中央部が一体形成あるいは固定された下部外周部に係合片３０、３０を有する、上部に皿部材嵌合部１６が形成された受け皿３Ｂと、この受け皿３Ｂの係合片３０、３０と係合する縦溝３１、３１が内壁面に形成された、前記螺旋部材１０Ａのリング状の凹部２４と回動可能にカシメられる筒部材１３Ａとで構成されている。
このように構成された口紅等の収納容器本体４Ａを用いて構成した口紅等の収納容器１Ｂにしても、前記本発明を実施するための最良の第１の形態と同様な作用効果が得られる。
本発明を実施するための形態では、上死点Ｘよりも上方への受け皿３Ｂの移動はハカマ部材８Ａ内に押し上げ棒３２を押し込んで行ない、上死点Ｘ位置への戻しは口紅等の押し込みによって行なう。
【００２３】
なお、口紅等の収納容器本体の２段繰り出し機構として、前記本発明を実施するための最良の第１の形態と、第３の形態で使用した２種類のものについて説明したが、本発明はこれに限らず、従来から考えられ、使用されている２段繰り出し機構であればどれを用いても、前記本発明を実施するための各形態と同様な作用効果が得られる。
【産業上の利用可能性】
【００２４】
本発明は口紅等の収納容器を製造する産業で利用される。
【図面の簡単な説明】
【００２５】
【図１】本発明を実施するための最良の第１の形態の縦断面図。
【図２】本発明を実施するための最良の第１の形態の受け皿の説明図。
【図３】本発明を実施するための最良の第１の形態の皿部材本体の説明図。
【図４】本発明を実施するための最良の第１の形態の受け皿を上死点に位置させた説明図。
【図５】本発明を実施するための最良の第１の形態の受け皿を上死点の上部に位置させた説明図。
【図６】本発明を実施するための最良の第１の形態の工程図。
【図７】本発明を実施するための最良の第１の形態の口紅等の充填工程の説明図。
【図８】本発明を実施するための最良の第１の形態の口紅等の収納工程の説明図。
【図９】本発明を実施するための第２の形態の縦断面図。
【図１０】本発明を実施するための第２の形態の受け皿の説明図。
【図１１】本発明を実施するための第２の形態の皿部材本体の説明図。
【図１２】本発明を実施するための第３の形態の縦断面図。
【図１３】本発明を実施するための第３の形態の口紅等の収納容器本体のセット工程の説明図。
【図１４】本発明を実施するための第３の形態の口紅等の収納工程の説明図。
【図１５】本発明を実施するための第３の形態の受け皿の説明図。
【符号の説明】
【００２６】
１、１Ａ、１Ｂ：口紅等の収納容器、  ２：口紅等、
３、３Ａ、３Ｂ：受け皿、            ４、４Ａ：口紅等の収納容器本体、
５：口紅等の成形型、                ６、６Ａ：皿部材本体、
７：キャップ、                      ８、８Ａ：ハカマ部材、
９：螺旋溝、                        １０、１０Ａ：螺旋部材、
１１：キャップ嵌合部、              １２：キャップ嵌合部材、
１３、１３Ａ：筒部材、              １４：切欠溝、
１５：ガイド溝、                    １６、１６Ａ：皿部材嵌合部、
１７：係合ピン、                    １８：リブ、
１９、１９Ａ：嵌合部、 
２０：口紅等の収納容器本体のセット工程、
２１：押え枠、                      ２２：口紅等の充填工程、
２３：口紅等の収納工程、            ２４：リング状の凹部、
２５：切欠部、                      ２６：ねじ部、
２７：通常時のストッパー、          ２８：充填時のストッパー、
２９：ねじ棒、                      ３０：係合片、
３１：縦溝、                        ３２：押し上げ棒。
【図１】
2006051061.tif 000003
【図２】
2006051061.tif 000004
【図３】
2006051061.tif 000005
【図４】
2006051061.tif 000006
【図５】
2006051061.tif 000007
【図６】
2006051061.tif 000008
【図７】
2006051061.tif 000009
【図８】
2006051061.tif 000010
【図９】
2006051061.tif 000011
【図１０】
2006051061.tif 000012
【図１１】
2006051061.tif 000013
【図１２】
2006051061.tif 000014
【図１３】
2006051061.tif 000015
【図１４】
2006051061.tif 000016
【図１５】
2006051061.tif 000017